(57)【特許請求の範囲】
【請求項１】
各周波数帯域ごとに出力レベルを検知する検知手段と、
縦軸を周波数帯域とし、前記検知手段によって検知された各出力レベルをその増加に応じて右方向に点灯領域を増加させて表示する第一の出力レベル表示データ、および前記検知手段によって検知された各出力レベルをその増加に応じて左方向に点灯領域を増加させて表示する第二の出力レベル表示データを作成する表示データ作成手段と、
上下に分割された表示領域を有する表示手段と、
前記表示手段の分割した一方の表示領域に前記第一の出力レベル表示データを表示させ、分割した他方の表示領域に前記第二の出力レベル表示データを表示させる表示制御手段と、
を具備することを特徴とする音響装置。
【請求項２】
出力レベル表示の基準となる基点列を順次右方向に移動させて表示する前記第一の出力レベル表示データ、および出力レベル表示の基準となる基点列を順次左方向に移動させて表示する前記第二の出力レベル表示データを作成する前記表示データ作成手段を具備することを特徴とする請求項１記載の音響装置。
【発明の詳細な説明】
【０００１】
【産業上の利用分野】
出力レベル表示機能を有する音響装置に関する。
【０００２】
【従来の技術】
従来このような表示部に出力レベル表示機能を有する音響装置においては、図５に示すように、出力レベル変化を各周波数帯域ごとに縦棒グラフ状に表示するスペアナ（Spectrum Analysis ）表示が一般的であった。
【０００３】
【発明が解決しようとする課題】
しかしながら上記従来の音響装置においては、低周波レベルが大きく高周波レベル小さいときなど、左右の表示バランスが悪くなるという問題があった。
【０００４】
また出力レベルが大きく、表示部が全点灯状態になると、故障と誤認する場合があった。
【０００５】
また縦棒グラフによる出力レベル表示があまりにも一般的であるため、見ていて退屈であるという問題点があった。
【０００６】
本発明はこのような従来の問題点を解決するものであり、退屈せず、常に左右の表示バランスがとれた出力レベル表示を行うことができ、出力レベルを正常に表示していることが容易に確認できる音響装置を提供することを目的とするものである。
【０００７】
【課題を解決するための手段】
上記の目的を達成するために本発明の音響装置は、各周波数帯域ごとに出力レベルを検知する検知手段と、縦軸を周波数帯域とし、前記検知手段によって検知された各出力レベルをその増加に応じて右方向に点灯領域を増加させて表示する第一の出力レベル表示データ、および前記検知手段によって検知された各出力レベルをその増加に応じて左方向に点灯領域を増加させて表示する第二の出力レベル表示データを作成する表示データ作成手段と、上下に分割された表示領域を有する表示手段と、前記表示手段の分割した一方の表示領域に前記第一の出力レベル表示データを表示させ、分割した他方の表示領域に前記第二の出力レベル表示データを表示させる表示制御手段とを具備するものである。
【０００８】
また本発明の請求項２記載の音響装置は、出力レベル表示の基準となる基点列を順次右方向に移動させて表示する前記第一の出力レベル表示データ、および出力レベル表示の基準となる基点列を順次左方向に移動させて表示する前記第二の出力レベル表示データを作成する前記表示データ作成手段を具備するものである。
【０００９】
【作用】
従って本発明の音響装置によれば、検知手段によって各周波数帯域ごとに出力レベルを検知し、表示デ−タ作成手段によって、縦軸を周波数帯域とし、検知された各出力レベルをその増加に応じて右方向に点灯領域を増加させて表示する第一の出力レベル表示デ−タ、および検知された各出力レベルをその増加に応じて左方向に点灯領域を増加させて表示する第二の出力レベル表示デ−タを作成し、表示手段の分割された一方の表示領域に前記第一の出力レベル表示デ−タを表示し、分割された他方の表示領域に前記第二の出力レベル表示デ−タを表示することによって、退屈せず、常に左右の表示バランスがとれた出力レベル表示を行うことができる。
【００１０】
また本発明の請求項２記載の音響装置によれば、前記表示デ−タ作成手段によって、出力レベル表示を順次右方向に移動させて表示する前記第一の出力レベル表示デ−タ、および出力レベル表示を順次左方向に移動させて表示する前記第二の出力レベル表示デ−タを作成することによって、出力レベルを正常に表示していることが容易に確認できる。
【００１１】
【実施例】
図１は本発明の実施例の構成を示すシステムブロック図である。
【００１２】
図１において、１０１は音響装置本体であり、１１３はディスクチェンジャである。
【００１３】
音響装置本体１０１は、メインマイコン１０２、チューナー１０３、表示部１０４、記憶部１０５、操作部１０６、外部スピーカ１０９に出力を供給するアンプ１０７、ソース切換スイッチ１０８、表示部スレーブマイコン１１１、ＤＳＰ１１０、ＤＳＰコントローラ１１２、出力レベル検知回路１２０等を主に内蔵している。
【００１４】
ディスクチェンジャ１１３は、ディスクチェンジャスレーブマイコン１１４、メカニズム部１１５、再生回路１１６によって構成される。
【００１５】
メインマイコン１０２はディスクチェンジャスレーブマイコン１１４とデータ通信線１１７により接続されており、操作部１０６から入力された各種の命令に従って、チューナー１０３、記憶部１０５、ソース切換スイッチ１０８、表示部スレーブマイコン１１１、ディスクチェンジャスレーブマイコン１１４等を制御する。
【００１６】
出力レベル検知回路１２０は通過周波数帯域のそれぞれ異なる複数のＢＰＦ（Band Pass Filter）等によって構成され、表示部スレーブマイコン１１１から入力される出力レベル検知命令に従って、ＤＳＰ１１０より入力された音声出力信号の各バンドごとの最大レベル値を検知し、検知した各最大レベル値を表示部スレーブマイコン１１１に送る。
【００１７】
表示部１０４はバー表示によって出力レベルを表示するスペアナ表示領域１２１を含む液晶ディスプレイ等を有し、表示部スレーブマイコン１１１からの命令に従って、表示部スレーブマイコン１１１より入力される出力レベル表示データ等を表示する。
【００１８】
表示部スレーブマイコン１１１は、１００［msec］、１６０［msec］、３［sec ］をそれぞれ計測する各タイマー（以下、単に１００msecタイマー、１６０msecタイマー、３秒タイマーと称する）として用いられるカウンタ、および移動カウンタ、移動表示フラグ用のレジスタ等を有し、メインマイコン１０２からの命令に従って表示部１０４および出力レベル検知回路１２０を制御し、出力レベル検知回路１２０より入力された音声出力信号の各最大レベル値にそれぞれ該当するレベル階層を調べ、このレベル階層と、移動表示フラグおよび移動カウンタの値とに基づいて、出力レベル表示データを作成し、この出力レベル表示データを表示部１０４に送ってスペアナ表示領域１２１に表示させる。また装置の動作状態等を示す各種の文字データやステイタスデータを表示部１０４に送って表示させる。
【００１９】
ここで移動表示フラグは移動表示させるスペアナ表示が上段に表示したものであるか、下段に表示したものであるかを示すフラグであり、移動カウンタ値はスペアナ表示の移動位置を示すものである。
【００２０】
上記の出力レベル表示データは、上下に二分割された表示領域１２１の上段および下段の各々において横棒グラフ状のスペアナ表示をさせ、移動表示フラグおよび移動カウンタの値に応じて、この横棒スペアナ表示を右左方向に移動表示させるものである。
【００２１】
記憶部１０５はリセット時のデータ等を記憶したＲＯＭ１１８、チューナー１０３のプリセット受信周波数データ等を記憶するＲＡＭ１１９等によって構成される。
【００２２】
ディスクチェンジャスレーブマイコン１１４はメインマイコン１０２からの命令に従って、メカニズム部１１５および再生回路１１６を制御する。
【００２３】
メカニズム部１１５は複数のディスクを格納しており、ディスクチェンジャスレーブマイコン１１４からセッティング命令のあったディスクを再生機構にセットする。
【００２４】
再生回路１１６はディスクチェンジャスレーブマイコン１１４からの命令に従って、メカニズム部１１５の再生機構にセットされたディスクを再生する。
【００２５】
ソース切換スイッチ１０８はメインマイコン１０２からの命令に従って、チューナ１０３の出力または再生回路１１６の出力を選択してＤＳＰ１１０に送る。
【００２６】
次に上記の構成を有する本実施例の出力レベル表示動作について説明する。
【００２７】
図２は本発明の実施例における出力レベル表示動作を示すフローチャートである。
【００２８】
上記の実施例においては、ユーザーが音響装置本体１０１の電源スイッチ（図示せず）をＯＮし、続いて操作部１０６を操作することによって、出力ソースを選択し、受信するラジオ局、あるいは再生するディスク、曲名等を入力すると、チューナ１０３あるいは再生回路１１６による音声出力信号がソース切換スイッチ１０８を介してＤＳＰ１１０に供給され、ＤＳＰ１１０によって整形された音声出力信号がアンプ１０７を介して外部スピーカに供給され始める。
【００２９】
ユーザーが音響装置本体１０１の電源スイッチ（図示せず）をＯＮすると、図２のステップ２０１において表示部スレーブマイコン１１１は、１００msec、１６０msec、３秒の各タイマーをリセットして時間計測を開始し、移動カウンタの初期値を０、移動表示フラグを上段にそれぞれ設定する。
【００３０】
次にステップ２０２において表示部スレーブマイコン１１１は、１００msecタイマーがオーバーフローしていなければステップ２０７に進み、１００msecタイマーが計測開始後１００msec以上経過してオーバーフローしていれば、ステップ２０３において、出力レベル検知回路１２０に出力レベル検出命令を送り、出力レベル検知回路１２０は、ＤＳＰ１１０より出力される出力音声信号の各周波数帯域ごとの最大レベル値をそれぞれ検知し、この各最大レベル値を表示部スレーブマイコン１１１に送る。そして表示部スレーブマイコン１１１は出力レベル検知回路１２０より入力された音声出力信号の各最大レベル値に該当するレベル階層を調べる。
【００３１】
上記の各周波数帯域は、例えばその数を６とし、各周波数帯域をバンド１〜バンド６として、次のように設定する。
【００３２】
バンド１＝  ５０［Hz］
バンド２＝１００［Hz］
バンド３＝２００［Hz］
バンド４＝４００［Hz］
バンド５＝    １［kHz ］
バンド６＝    ３［kHz ］
また上記のレベル階層は、例えば出力音声信号レベルを８階層に分けたものであり、各階層をレベル０〜レベル７（レベル０＜レベル１＜レベル２＜レベル３＜レベル４＜レベル５＜レベル６＜レベル７）とし、出力音声信号を８ビットデータ、すなわち出力音声信号の最大レベル値は０〜２５５の値をとるものとすると、各レベル階層を例えば次のように設定する。
【００３３】
最大レベル値≦  １３のとき、レベル０
１３＜最大レベル値≦  １８のとき、レベル１
１８＜最大レベル値≦  ２６のとき、レベル２
２６＜最大レベル値≦  ３８のとき、レベル３
３８＜最大レベル値≦  ５６のとき、レベル４
５６＜最大レベル値≦  ８３のとき、レベル５
８３＜最大レベル値≦１２８のとき、レベル６
１２８＜最大レベル値        のとき、レベル７
ステップ２０４において、移動カウンタ＝０であればステップ２０５に進む。
【００３４】
ステップ２０５において表示部スレーブマイコン１１１は、各周波数帯域におけるレベル階層データに基づいて、固定スペアナ表示データ、すなわち上段においてスペアナ表示領域１２１の左端を基点列として右向きに横棒スペアナ表示を行う第一のスペアナ表示データ、および下段においてスペアナ表示領域１２１の右端を基点列として左向きに横棒スペアナ表示を行う第二のスペアナ表示データを作成し、これら第一および第二のスペアナ表示データを表示部１０４に送り、スペアナ表示領域１２１に表示させる。
【００３５】
図３は上記の固定スペアナ表示を示す説明図である。
【００３６】
図３において、Ｓ１〜Ｓ６行は下段スペアナ表示、Ｓ８〜Ｓ１３行は上段スペアナ表示であり、境目のＳ７行は常時消灯である。
【００３７】
Ｓ１行およびＳ１３行はバンド６に、Ｓ６行およびＳ８行はバンド１にそれぞれ対応する。また上段スペアナ表示においてはＧ１列はレベル１に、Ｇ７列はレベル７にそれぞれ対応し、下段スペアナ表示においてはＧ１列はレベル７に、Ｇ７列はレベル１にそれぞれ対応する。例えばバンド４においてはＧ２列およびＧ６列まで点灯しているので、そのレベル階層データはレベル６である。
【００３８】
図２に戻りステップ２０６において表示部スレーブマイコン１１１は、１００msecタイマーをリセットする。
【００３９】
続いてステップ２０７において、３秒タイマーがオーバーフローしていなければ出力レベル表示の１サイクルを終えてステップ２０２に戻り、３秒タイマーがオーバーフローしていればステップ２０８に進む。
【００４０】
ステップ２０８において、１６０msecタイマーがオーバーフローしていなければ出力レベル表示の１サイクルを終えてステップ２０２に戻り、１６０msecタイマーがオーバーフローしていれば、ステップ２０９に進む。
【００４１】
ステップ２０９において、移動カウンタ≠最大であればステップ２１０に進み、ステップ２１０において表示部スレーブマイコン１１１は、移動カウンタをインクリメントし、ステップ２１１において、移動表示フラグが上段であればステップ２１２に進み、移動表示フラグが下段であればステップ２１３に進む。
【００４２】
ステップ２１２において表示部スレーブマイコン１１１は、上段において移動カウンタ値に基づいて、横棒スペアナ表示を右方向に移動させた移動スペアナ表示を行う第一のスペアナ表示データ、および下段において固定スペアナ表示を行う第二のスペアナ表示データを作成し、これらのスペアナ表示データを表示部１０４に送り、スペアナ表示領域１２１に表示させる。
【００４３】
またステップ２１３において表示部スレーブマイコン１１１は、上段においては固定スペアナ表示を行う第一のスペアナ表示データ、および下段において移動カウンタ値に基づいて、横棒スペアナ表示を左方向に移動させた移動スペアナ表示を行う第二のスペアナ表示データを作成し、これらのスペアナ表示データを表示部１０４に送り、スペアナ表示領域１２１に表示させる。
【００４４】
ステップ２１４において表示部スレーブマイコン１１１は、１６０msecタイマーをリセットし、出力レベル表示の１サイクルを終えてステップ２０２に戻る。
【００４５】
またステップ２０９において、移動カウンタ＝最大であればステップ２１５に進み、ステップ２１５において表示部スレーブマイコン１１１は、移動カウンタの値を０にリセットし、ステップ２１６において、移動表示フラグが上段であれば下段に、下段であれば上段に反転し、ステップ２１７において、３秒タイマーをリセットし、出力レベル表示の１サイクルを終えてステップ２０２に戻る。
【００４６】
次にステップ２０４において、移動カウンタ≠０であればステップ２１８に進み、ステップ２１８において、移動表示フラグが上段であればステップ２１９に進み、移動表示フラグが下段であればステップ２２０に進む。
【００４７】
ステップ２１９またはステップ２２０において表示部スレーブマイコン１１１は、新たに検知された各バンドにおけるレベル階層データに基づいて、現在表示中の横棒スペアナ表示の各レベルを更新した各スペアナ表示データを作成し、これらのスペアナ表示データを表示部１０４に送り、スペアナ表示領域１２１に表示させ、ステップ２０６に進む。
【００４８】
すなわちステップ２１９においては、ステップ２１２によって表示中のスペアナ表示の各レベルのみを更新したスペアナ表示データを作成し、このスペアナ表示データを表示部１０４に送り、スペアナ表示領域１２１に表示させる。
【００４９】
またステップ２２０においては、ステップ２１３によって表示中のスペアナ表示の各レベルのみを更新したスペアナ表示データを作成し、このスペアナ表示データを表示部１０４に送り、スペアナ表示領域１２１に表示させる。
【００５０】
図４は上記の出力レベル表示の一例を示す説明図である。
【００５１】
図４において、４０１は上下段が固定スペアナ表示されたものを示し、４０２〜４０７は上段が移動スペアナ表示されたものを示す。スペアナ表示４０２は移動カウンタ＝１のときのもの、スペアナ表示４０３は移動カウンタ＝２のときのもの、スペアナ表示４０５は移動カウンタ＝６のときのもの、スペアナ表示４０７は移動カウンタ＝最大のときのものである。また４０８および４０９は上段および下段における基点例を示す。
【００５２】
スペアナ表示４０１において、各レベルは上段においては基辺４０８を左端として右方向に向けて表示され、下段においては基辺４０９を右端として左方向に向けて表示される。
【００５３】
この上下段が固定のスペアナ表示４０１を３秒間継続表示し、移動表示フラグが上段であれば、その後スペアナ表示４０２が表示され、１６０msごとに４０３、４０４…４０５…４０６…４０７と順次表示される。すなわちスペアナ表示を右方向に順次移動し（４０２、４０３、４０４…４０５）、基点列４０８が画面から消えた全消灯画面を１６０ms表示した後、画面の左端から右方向にスペアナ表示を順次移動して（４０６…４０７）、元の固定スペアナ表示４０１に戻る。そして再び固定スペアナ表示４０１を３秒間継続表示した後、今度は下段のスペアナ表示を左方向に順次移動する。
【００５４】
また出力音声信号の最大値の検知は１００msごとに行われ、各表示レベルは１００msごとに更新される。
【００５５】
このように上記の実施例によれば、出力レベル検知回路１２０によって出力レベルの各周波数帯域ごとの最大値を検知し、表示部スレーブマイコン１１１によって、この各最大値にそれぞれ該当するレベル階層データに基づいて、スペアナ表示領域１２１の上段において左端を基点列として右向きに横棒スペアナ表示を行う第一のスペアナ表示データ、および下段において右端を基点列として左向きに横棒スペアナ表示を行う第二のスペアナ表示データを作成し、また移動カウンタ値および移動表示フラグに応じて、上段における前記スペアナ表示を順次右方向に移動して表示させる第一のスペアナ表示データ、あるいは下段における前記スペアナ表示を左方向に移動して表示させる第二のスペアナ表示データを作成し、これら第一および第二のスペアナ表示デ−タを表示部１０４のスペアナ表示領域１２１に表示することによって、退屈せず、常に左右の表示バランスがとれた出力レベル表示を行うことができ、出力レベルを正常に表示していることが容易に確認できる。
【００５６】
【発明の効果】
本発明は上記の実施例より明らかなように、検知手段によって各周波数帯域ごとに出力レベルを検知し、この各出力レベルをその増加に応じて右方向に点灯領域を増加させて表示する第一の出力レベル表示デ−タ、および前記各出力レベルをその増加に応じて左方向に点灯領域を増加させて表示する第二の出力レベル表示デ−タを作成し、表示手段の分割された一方の表示領域に前記第一の出力レベル表示デ−タを表示し、分割された他方の表示領域に前記第二の出力レベル表示デ−タを表示することによって、退屈せず、常に左右の表示バランスがとれた出力レベル表示を行うことができるという効果を有する。
【００５７】
また上記の出力レベル表示を順次左あるいは右方向に移動させて表示することによって、強信号レベルが続き全ての表示が点灯している場合においても表示変化が生じるので、上記の効果に加え、出力レベルを正常に表示していることが容易に確認できるという効果を有する。
【００５８】
【符号の説明】
【図面の簡単な説明】
【図１】本発明の実施例の構成を示すシステムブロック図である。
【図２】本発明の実施例における出力レベル表示動作を示すフローチャートである。
【図３】本発明の実施例における出力レベルの固定スペアナ表示の一例を示す説明図である。
【図４】本発明の実施例における出力レベル表示の一例を示す説明図である。
【図５】従来の出力レベル表示の一例を示す説明図である。
【符号の説明】
１０１  音響装置本体
１０２  メインマイコン
１０３  チューナー
１０４  表示部
１０５  記憶部
１０６  操作部
１０７  アンプ
１０８  ソース切換スイッチ
１０９  外部スピーカ
１１０  ＤＳＰ
１１１  表示部スレーブマイコン
１１２  ＤＳＰコントローラ
１１３  ディスクチェンジャ
１１４  ディスクチェンジャスレーブマイコン
１１５  メカニズム部
１１６  再生回路
１１７  データ通信線
１１８  ＲＯＭ
１１９  ＲＡＭ
１２０  出力レベル検知回路
１２１  スペアナ表示領域
【図１】
0003714996.tif 000002
【図２】
0003714996.tif 000003
【図３】
0003714996.tif 000004
【図４】
0003714996.tif 000005
【図５】
0003714996.tif 000006